(57)【特許請求の範囲】
【請求項１】
液透過性の表面シートと、液不透過性の裏面シートと、前記表面シートと前記裏面シートとの間に介在されて体液を吸収可能な吸収体とを有する吸収性物品であって、
前記吸収性物品の幅方向における両側に位置し、前記吸収性物品の前端側から前記吸収物品の後端側に向かう長手方向に沿って延びる挿通孔が形成され、
前記挿通孔の内部に挿通されており、単一の紐体で形成されている長尺部材を有し、
前記挿通孔には、
前記吸収物品の前端側に位置しており、各々が対向していない一対の開口部と、
前記吸収物品の後端側に位置する固定部とが形成され、
前記長尺部材は、
前記挿通孔の内部に挿通されており、前記吸収物品の後端側で折り返されている長尺部と、
前記長尺部に連なっており、両端部が前記吸収物品の前端側で前記開口部から前記挿通孔の外にそれぞれ引き出される引出部とを有し、
前記吸収物品の後端側に位置する前記長尺部の後端部は、前記固定部に固定されており、
前記表面シートの左右両側の少なくとも一部に、重ねられたサイドシートが接合されており、
重ねられた前記サイドシートの間には、弾性部材が設けられており、
前記挿通孔は、重ねられた前記サイドシートと前記表面シートとの間に設けられる吸収性物品。
【請求項２】
液透過性の表面シートと、液不透過性の裏面シートと、前記表面シートと前記裏面シートとの間に介在されて体液を吸収可能な吸収体とを有する吸収性物品であって、
前記吸収性物品の幅方向における両側に位置し、前記吸収性物品の前端側から前記吸収物品の後端側に向かう長手方向に沿って延びる挿通孔が形成され、
前記挿通孔の内部に挿通されており、単一の紐体で形成されている長尺部材を有し、
前記挿通孔には、
前記吸収物品の後端側に位置しており、各々が対向していない一対の開口部と、
前記吸収物品の前端側に位置する固定部とが形成され、
前記長尺部材は、
前記挿通孔の内部に挿通されており、前記吸収物品の前端側で折り返されている長尺部と、
前記長尺部に連なっており、両端部が前記吸収物品の後端側で前記開口部から前記挿通孔の外にそれぞれ前記開口部から前記挿通孔の外に引き出される引出部とを有し、
前記吸収物品の前端側に位置する前記長尺部の前端部は、前記固定部に固定されており、
前記表面シートの左右両側の少なくとも一部に、重ねられたサイドシートが接合されており、
重ねられた前記サイドシートの間には、弾性部材が設けられており、
前記挿通孔は、重ねられた前記サイドシートと前記表面シートとの間に設けられる吸収性物品。
【発明の詳細な説明】
【技術分野】
【０００１】
本発明は、使い捨てオムツ、生理用ナプキン、パンティーライナー、失禁パッド等に用いられる吸収性物品に関する。
【背景技術】
【０００２】
従来の吸収性物品として、特許文献１にはストリップを有した生理用ナプキンが開示されている。ストリップは、吸収体を挟み込む表面シート及び裏面シートの間に設けられるものであり、その一端部が露出して把持部となっており、他端部は表面シートと裏面シートとの間で固定されている。
【０００３】
この生理用ナプキンにあっては、使用後にナプキンを一方の手で保持する一方、他方の手でストリップの把持部を把持してストリップを引っ張る。これにより、ストリップがナプキンから露出しながら全体が蛇腹状に折り畳まれる。そしてストリップをナプキンの外周に巻き付けて蛇腹状の形態を保持させ、この状態で廃棄する。
【先行技術文献】
【特許文献】
【０００４】
【特許文献１】特開２００７−２０２７９０号公報
【発明の概要】
【発明が解決しようとする課題】
【０００５】
しかしながら従来の生理用ナプキンでは、廃棄のためにナプキンを折り畳む際に、汚れの付着している表面シート部分に手が触れることがあり、衛生的ではない問題がある。
【０００６】
そこで本発明は、吸収体に手が触れることなく畳むことができ、衛生的な取り扱いを行うことができる吸収性物品を提供することを目的とする。
【課題を解決するための手段】
【０００７】
本発明の第１の特徴は、吸収性物品（生理用ナプキン１）は、液透過性の表面シート（表面シート２）と、液不透過性の裏面シート（裏面シート３）と、表面シートと裏面シートとの間に介在されて体液を吸収可能な吸収体（吸収体４）とを有する吸収性物品であって、吸収性物品の幅方向（幅方向Ｗ）における両側に位置し、吸収性物品の前端側（前端側Ｆｒ）から吸収物品の後端側（後端側Ｂａ）に向かう長手方向（長手方向Ｌ）に沿って延びる挿通孔（挿通孔７）が形成され、挿通孔の内部に挿通される長尺部材（長尺部材６）を有し、挿通孔には、吸収物品の前端側に位置する開口部（開口部８）と、吸収物品の後端側に位置する固定部（固定部１２）とが形成され、長尺部材は、挿通孔の内部に挿通される長尺部（長尺部１１）と、長尺部に連なり開口部から挿通孔の外に引き出される引出部（引出部９）とを有し、吸収物品の後端側に位置する長尺部の後端部は、固定部に固定されることを要旨とする。
【０００８】
本発明によれば、長尺部材の長尺部が吸収性物品の幅方向における両側に設けられ、且つ長尺部の後端部が固定されている。その結果、挿通孔に挿通された長尺部材の引出部を手で引っ張ると、表面シートを内側、裏面シートを外側にしながら吸収性物品が丸められる。表面シート側を内側にしながら丸められるため、手が吸収体に接触することがなく、衛生的に取り扱うことができる。
【０００９】
本発明の第２の特徴は、本発明の第１の特徴に係り、挿通孔は、表面シートと裏面シートとの間で、吸収体の幅方向における両側に形成されることを要旨とする。
【００１０】
本発明の第３の特徴は、本発明の第１または２の特徴に係り、表面シートの左右両側の少なくとも一部にサイドシート（サイドシート５）が接合されており、挿通孔は、サイドシートと裏面シートとの間に設けられることを要旨とする。
【００１１】
本発明の第４の特徴は、本発明の第１乃至３の何れか一つの特徴に係り、長尺部材が単一の紐体で形成され、紐体は、吸収物品の後端側で折り返され、紐体の両端部は、吸収物品の前端側で引出開口からそれぞれ引き出されている
本発明の第５の特徴は、吸収性物品（生理用ナプキン１）は、液透過性の表面シート（表面シート２）と、液不透過性の裏面シート（裏面シート３）と、表面シートと裏面シートとの間に介在されて体液を吸収可能な吸収体（吸収体４）とを有する吸収性物品であって、吸収性物品の幅方向（幅方向Ｗ）における両側に配置され、吸収性物品の前端側（前端側Ｆｒ）から吸収物品の後端側（後端側Ｂａ）に向かう長手方向（長手方向Ｌ）に沿って延びる挿通孔（挿通孔７）が形成され、挿通孔の内部に挿通される長尺部材（１１長尺部材６）を有し、挿通孔には、吸収物品の後端側に位置する開口部（開口部８）と、吸収物品の前端側に位置する固定部（固定部１２）とが形成され、長尺部材は、挿通孔の内部に挿通される長尺部（長尺部１１）と、長尺部に連なり開口部から挿通孔の外に引き出される引出部（引出部９）とを有し、吸収物品の前端側に位置する長尺部の前端部は、固定部に固定されることを要旨とする。
【発明の効果】
【００１２】
本発明によれば、長尺部材の長尺部が吸収性物品の幅方向における両側に設けられ、且つ長尺部の後端部が固定されている。その結果、挿通孔に挿通された長尺部材の引出部を手で引っ張ると、表面シートを内側、裏面シートを外側にしながら吸収性物品が丸められる。表面シート側を内側にしながら丸められるため、手が吸収体に接触することがなく、衛生的に取り扱うことができる。
【図面の簡単な説明】
【００１３】
【図１】図１は、本発明の第１実施形態の生理用ナプキンを展開した状態を示す平面図である。
【図２】図２は、図１のＡ−Ａ線断面図である。
【図３】図３は、廃棄の形態を示す斜視図である。
【図４】図４は、本発明の第１実施形態に係る別の実施形態の生理用ナプキンを展開した状態を示す平面図である。
【図５】図５は、本発明の第１実施形態に係る別の実施形態を示す断面図である。
【発明を実施するための形態】
【００１４】
（第１実施形態）
図１は本発明の第１実施形態に係る生理用ナプキン１の展開状態を示す平面図である。図２は図１のＡ−Ａ線断面図である。図３は廃棄状態を示す斜視図である。本実施形態に係る吸収性物品は、生理用ナプキン１を構成する。生理用ナプキン１は、表面シート２と、裏面シート３と、表面シート２及び裏面シート３の間に介在された吸収体４と、サイドシート５と、長尺部材６とを有する。
【００１５】
表面シート２は、肌当接面側に配置されている。表面シート２は、液透過性材料によって形成されている。表面シート２としては、有孔又は無孔の不織布、多孔性プラスチックシート等を用いることができる。表面シート２には、肌当接面側から熱エンボス加工等が、左右対称に施されることにより、坪量や、密度が場所によって異なっている。
【００１６】
具体的には、生理用ナプキン１の前端側Ｆｒから生理用ナプキン１の後端側Ｂａに向かう長手方向Ｌに沿って、坪量や、密度が異なる場所が、交互に形成されている。
【００１７】
吸収体４は、表面シート２を通過した経血等の体液を吸収するものである。吸収体４としては、フラッフ状パルプ、エアレイド不織布及び高吸収ポリマーによって形成されている。
【００１８】
フラッフ状パルプとしては、化学パルプ、セルロース繊維、又はレイヨンやアセテート等の人工セルロース繊維を用いることができる。
【００１９】
高吸収ポリマーとしては、デンプン系、アクリル酸系、アミノ酸系の粒子状ポリマー又は繊維状ポリマーを用いることができる。
【００２０】
エアレイド不織布は、パルプと合成繊維とを熱融着又はバインダーで固着させた不織布である。エアレイド不織布としては、スパンレース、スパンボンド、サーマルボンド、メルトブローン、ニードルパンチ、エアースルー等の不織布を用いることができる。不織布を構成する素材繊維としては、ポリエチレン又はポリプロピレン等のオレフィン系、ポリエステル系、ポリアミド系等の合成繊維を用いることができる。これに限らず、レーヨンやキュプラ等の再生繊維、綿等の天然繊維を使用することができる。
【００２１】
裏面シート３はショーツ等の衣類当接面となっている。裏面シート３は、液透過性材料によって形成されている。裏面シート３としては、ポリエチレン、ポリプロピレン等のポリオレフィン、ポリスチレン、ポリウレタン等の樹脂フィルムを用いることができる。炭酸カルシウム、硫酸バリウム等の無機粒子を分散した多孔性（透湿性）ポリオレフィンシート、スパンボンド法/メルトブロー法/スパンボンド法で製造された積層不織布（以下、ＳＭＳと記す）不織布、ＳＭＭＳ不織布を用いることができる。これらは、単独又は混合して用いることができると共に、積層状態で用いることも可能である。裏面シート３の長手方向Ｌにおける中間部分には、左右方向に広がるウイング３ａが形成されている。ウイング３ａには係止部材としての粘着剤が設けられている。この粘着剤により、生理用ナプキン１を衣類に貼り付けることができる。
【００２２】
サイドシート５は、表面シート２の左右両側の少なくとも一部にサイドシートが接合されている。具体的には、サイドシート５は、吸収体４の幅方向Ｗにおける両側に、長手方向Ｌに沿って配置されている。又、サイドシート５は、表面シート２上に部分的に接着されている。サイドシート５は、生理用ナプキン１の使用時には表面シート２から立ち上がる。これによりサイドシート５は、体液の横漏れを防止するように作用する。サイドシート５としては、疎水性又は撥水性の不織布を用いることができる。この場合、サイドシート５に伸長状態の弾性部材を配置しても良い。これにより表面シート２からの立ち上がり性を確実に保持することができる。
【００２３】
生理用ナプキン１の幅方向Ｗにおける両側に位置し、生理用ナプキン１の前端側Ｆｒから生理用ナプキン１の後端側Ｂａに向かう長手方向Ｌに沿って直線的に延びる挿通孔７が形成される。挿通孔７は、表面シート２と、サイドシート５とにより７形成されている。７
長手方向Ｌにおける挿通孔７には、生理用ナプキン１の前端側Ｆｒに位置する開口部８が形成されている。この場合、挿通孔７は、吸収体４の幅方向両側部に設けられている。
【００２４】
また、挿通孔７には、生理用ナプキン１の後端側Ｂａに位置する固定部１２が形成されている。
【００２５】
この実施形態では、挿通孔７がサイドシート５と表面シート２との間に設けられている。これに限らず、挿通孔７は、表面シート２と裏面シート３との間で、吸収体４の幅方向Ｗにおける両側に形成されてもよい。この構造では、挿通孔７を簡単に形成することができるメリットがある。
【００２６】
また、図２に示すように、サイドシート５が吸収体４側に折り畳まれている場合、上下のサイドシート５に挿通孔７が挟まれるように配置しても良い。
【００２７】
長尺部材６は、挿通孔７の内部に挿通される。長尺部材６は、挿通孔７の内部に挿通される長尺部１１と、長尺部１１に連なり開口部８から挿通孔７の外に引き出される引出部９とを有する。長尺部１１は、生理用ナプキン１の幅方向Ｗにおいて、両側に長手方向Ｌに沿って配置される。それぞれの長尺部１１は、挿通孔７に挿通されている。それぞれの長尺部１１の長手方向における後端部側（図１における下端部側）は、生理用ナプキン１に固定されている。又、それぞれの長尺部１１の長手方向における前端側は、挿通孔７の開口部８から外側に引き出されることにより引出部９となっている。
【００２８】
長尺部材６は伸縮性を有していない直径１〜７ｍｍ、好ましくは２〜５ｍｍの太さの紐状部材を用いることができる。長尺部材６の太さが１ｍｍ未満の場合には、長尺部材６を引っ張る際に、長尺部材６が指に食い込んでしまい、指を痛める。長尺部材６の太さが７ｍｍを越える場合には挿通孔７の大部分の面積を埋めてしまうため使用感が悪くなる。長尺部材６として紐状部材を用いる場合、経血が伝わらないようにするために疎水処理、好ましくは撥水処理が施される。長尺部材６の素材としてはポリエチレン、ポリプロピレン等のオレフィン系、ポリエステル系、ポリアミド系等の合成繊維の他、レーヨンやキュプラ等の再生繊維、綿等の天然繊維を用いることができる。
【００２９】
長尺部材６のそれぞれの長尺部１１において、挿通孔７の開口部８から引き出される引出部９の長さは、３０〜２００ｍｍ、好ましくは４０〜１５０ｍｍに設定される。引出部９の長さは、３０ｍｍ未満の場合には、ショーツや生理用ナプキン１内に長尺部１１が留まるため、長尺部１１が経血によって汚れて衛生的ではなくなる。しかも、生理用ナプキン１の廃棄時に開口部８から挿通孔７の外に引き出された長尺部１１を掴みにくくなる。引出部９の長さは、２００ｍｍを越える場合には、生理用ナプキン１の外側で引出部９が絡み合って廃棄時に使用することができなくなる。
【００３０】
図１において固定部１２は、長尺部１１の後端部側を固定している。固定部１２は、サイドシート５の肌当接面側から熱エンボスまたは、感熱性接着剤（ＨＭＡ）によって接着することにより形成される。熱エンボスを用いる場合、エンボスの面積は、幅方向Ｗが長尺部１１の太さに５ｍｍ以内の長さを加えた長さ、長手方向Ｌが１〜１０ｍｍの長さ、となるように設定される。固定部１２は、生理用ナプキン１の端部から１〜１０ｍｍの位置に設けられる。
【００３１】
長尺部材６の長尺部１１の固定部１２に対する固定強度は、生理用ナプキン１の長手方向Ｌの剛性よりも大きく設定される。生理用ナプキン１の長手方向Ｌのテーパー剛性は、５０〜９０ｍｇ、好ましくは６０〜８０ｍｇの範囲に設定される。テーパー剛性が５０ｍｇ未満では生理用ナプキン１自体が必要以上に柔らかく、使用時に生理用ナプキン１がよれる。テーバー剛性が９０ｍｇを越える場合には生理用ナプキン１が硬く身体に馴染まず、使用感が悪くなる。以上により長尺部１１の固定部１２に対する固定強度は１００ｍｇ程度に設定される。
【００３２】
左右の長尺部材６の引出部９を掴んで長尺部１１を開口部８から挿通孔７の外に引き出すことにより、生理用ナプキン１は図３に示すように表面シート２及び吸収体４を内側にし、裏面シート３を外側にした状態で丸められる。
【００３３】
これは生理用ナプキン１の使用時に表面シート２及び吸収体４からなる使用面側が身体を包み込むように湾曲していることが一因となっている。また、吸収体４の表面シート２側と、吸収体４の裏面シート３側とを比べると、吸収体４の表面シート２側は、坪量（目付け）や密度が場所によって異なるため、坪量（目付け）や密度が異なる点を起点として、丸められることも、一因となっている。
【００３４】
具体的には、生理用ナプキン１の前端側Ｆｒから生理用ナプキン１の後端側Ｂａに向かう長手方向Ｌに沿って、坪量や、密度が異なる場所が、交互に形成されているため、坪量や、密度が小さい場所が、起点となる。
【００３５】
更に、坪量や、密度が小さい場所は、左右対称に形成されるため、坪量や、密度が小さい場所には、生理用ナプキン１の幅方向Ｗに沿った折り目が形成されやすくなる。従って、この折り目を起点として、表面シート２及び吸収体４を内側にして丸められやすくなる。
【００３６】
このように表面シート２及び吸収体４を内側にして丸められるため、これらに付着している経血に手が触れることなく衛生的に取り扱うことができる。又、匂いを閉じこめることも可能となる。さらに、生理用ナプキン１を丸めた後においては、元の展開状態となることがないため、丸められた生理用ナプキン１をそのまま廃棄することが可能となる。これに加えて、この実施形態では、引出部９を引っ張ることにより生理用ナプキン１の曲率を変化させることができる。生理用ナプキン１の曲率を変化させることにより、身体へのフィット性が向上し、体液の漏れを少なくすることができる。
【００３７】
なお、長尺部材６のそれぞれの引出部９に粘着テープや綿ファスナーテープを取り付けてもよい。これにより、引出部９を生理用ナプキン１の適宜の箇所に止着できるため、生理用ナプキン１の外観も向上する。
【００３８】
（その他の実施形態１）
図４は本発明の第１実施形態に係る別の実施形態を示し、上述した実施形態と同一の部材には同一の符号を付してある。
【００３９】
この実施形態では、長尺部材６が単一の紐体で形成されている。紐体は、生理用ナプキン１の後端側Ｂａで折り返され、紐体の両端部は、生理用ナプキン１の前端側Ｆｒで引出開口からそれぞれ引き出されている。単一な紐体からなる長尺部材６は、長手方向Ｌの後端側で折り返されている（折り返し部１３）。折り返し部１３の幅方向両側部から長手方向に沿って、長尺部材６（長尺部１１）が直線的に伸びている。そして、生理用ナプキン１に対しては折り返し部１３付近の固定部１２に長尺部材６が固定される。長尺部材６の長手方向Ｌの各前端側である、紐体の両端部は挿通孔７の開口部８から引き出されている。上述した実施形態と同様に、引き出し端を引っ張ることにより表面シート２及び吸収体４を内側とし、裏面シート３を外側とした状態で生理用ナプキン１を丸めることが可能となる。
【００４０】
（その他の実施形態２）
図５は本発明の第１実施形態に係る別の実施形態を示し、上述した実施形態と同一の部材には同一の符号を付してある。
【００４１】
この実施形態では、挿通孔７として、サイドシート１５に弾性部材１７を配設したギャザー部分１６の内側を用いている。このように、ギャザー部分１６の内側を挿通孔７として用いることで、長尺部材６を挿通させるための挿通孔７を生理用ナプキン１に設ける必要がない。
【００４２】
なお、上述の実施形態では、生理用ナプキン１の前端側Ｆｒに、挿通孔７の開口部８、後端側Ｂａに固定部１２が、形成されているが、これに限らず、挿通孔７には、生理用ナプキン１の後端側Ｂａに開口部８と、前端側に位置する固定部１２とが形成されてもよい。この場合、前端側Ｆｒに位置する長尺部材６の前端部は、固定部１２に固定され、長尺部１１に連なり開口部８から挿通孔７の外に引き出される引出部９とを有する。
【符号の説明】
【００４３】
Ｂａ…後端側、  Ｆｒ…前端側、Ｌ…長手方向、Ｗ…幅方向、１…生理用ナプキン、２…表面シート、３…裏面シート、３ａ…ウイング、４…吸収体、５…サイドシート、６…長尺部材、７…挿通孔、８…開口部、９…引出部、１１…長尺部、１２…固定部、１３…折り返し部、１５…サイドシート、１６…ギャザー部分、１７…弾性部材
【図１】
0005566615.tif 000002
【図２】
0005566615.tif 000003
【図３】
0005566615.tif 000004
【図４】
0005566615.tif 000005
【図５】
0005566615.tif 000006